(57)【要約】      （修正有）【課題】多様なニーズに合わせて簡単に設置ができ、湯が冷めにくい浴槽を提供する。【解決手段】浴槽１０の周囲（４つの側壁部）及び底部（底壁部）は、適度な厚みを有すると共にネジＡや接着剤で互いに密接に接続された高密度強化発砲スチロール１０１の壁部で形成されている。そして、各発泡スチロールの表面はタイル、モザイクタイル、又は合成プラスチック片、もしくはガラス繊維片の貼付物からなる保護層１０２で覆われている。発泡スチロールの保温特性によって、確実に湯の温度が保たれ、水、電気、ガスの節約が可能になる。さらに発泡スチロールは、軽量で運びやすく、切断しやすいという特性を有し、浴槽の製作、施工が簡単、便利且つ迅速に行なえる。【選択図】図１
0003192338.tif 000002
【実用新案登録請求の範囲】
【請求項１】
周囲及び底部に、それぞれに厚みを有すると共に相互に密接に接続する高密度強化発泡スチロールの壁部を有しており、前記発泡スチロールの壁部の周囲表面はさらに保護層で覆われていることを特徴とする浴槽。
【請求項２】
前記発泡スチロールの壁部は、相互に密接に接続する箇所において、１個または１個以上のねじで締結されていることを特徴とする請求項１に記載の浴槽。
【請求項３】
前記発泡スチロールの壁部は、相互に密接に接続する箇所において、接着剤及び漏れ防止剤が塗布されていることを特徴とする請求項１に記載の浴槽。
【請求項４】
前記接着剤及び漏れ防止剤は、シリコン樹脂であることを特徴とする請求項３に記載の浴槽。
【請求項５】
前記発泡スチロールの壁部の周囲表面の保護層は、タイル、モザイクタイル、又は、合成プラスチック片もしくはガラス繊維片の表面貼付物からなることを特徴とする請求項１に記載の浴槽。
【請求項６】
前記保護層は、接着剤によって対応する発泡スチロールの壁部の周囲表面に密接に貼り付けられていることを特徴とする請求項１に記載の浴槽。
【請求項７】
前記接着剤は、ＥＶＡ樹脂またはタイル専用接着剤であることを特徴とする請求項６に記載の浴槽。
【請求項８】
各発泡スチロールの壁部の周囲表面には、一本または一本以上のくぼみ槽が形成されていることを特徴とする請求項１に記載の浴槽。
【請求項９】
前記浴槽の底部に位置する発泡スチロールの壁部は、排水孔及び少なくとも一本以上の貫通孔を有することを特徴とする請求項１に記載の浴槽。
【請求項１０】
各発泡スチロールの壁部は、相互に密接に浴槽を形成した後、その角の部分に角ガードが貼り付けられることを特徴とする請求項１に記載の浴槽。
【請求項１１】
各発泡スチロールの壁部は、相互に密接に浴槽を形成した後、その周囲表面が金属ネットで囲まれることを特徴とする請求項１に記載の浴槽。
【考案の詳細な説明】
【技術分野】
【０００１】
本考案は、浴槽に関し、特に、設置が簡単で、製作、施工が楽な上、便利でスピーディーであり、浴槽内の湯が冷めにくく、保温効果が高いことで省エネ効果を達成すると同時に、変化に富んだ多様性を有する浴槽の製作が可能な、実用性、理想性、進歩性を有する改良型の浴槽に関する。
【背景技術】
【０００２】
従来の浴槽構造は大きく分けて二種類ある。一つめの方法（構造）は、まず、浴室内に直接コンクリートを流し込むか、レンガを組むかして、浴槽を成形する方法である。その後、コンクリートやレンガの外周にタイルを貼り付けて表面を仕上げる。このタイプの浴槽は、浴室の大きさに合わせて製作ができ、カスタマイズされた浴槽設計が可能である。しかしながら、建材の運搬、セメントと砂利を混ぜてコンクリートを作る手間や時間を考えた場合、あまり効率が良いとは言えない。また、後日浴室の改修や浴槽の修繕をする際に、再び同様の施工上の問題が発生し、不便を感じることは否めない。さらに、前記浴槽の周囲や底部のコンクリートやレンガは保温性に乏しく、浴槽内の湯の温度が直接発散されて急速に湯が冷めてしまう。入浴の際、短時間で湯が冷めると、すぐに暑い湯を追い足す必要が生じる。このため、水や電気、ガスの浪費が発生する。もう一つの方法（構造）は、ガラス繊維を直接一体成型により所定のサイズや形状の浴槽に成型する方法である。これは、工場であらかじめ製作された繊維強化プラスチック(FRP)の浴槽であり、直接運搬して浴室に設置するだけで簡単に設置が完了する。したがって、施工面では、コンクリートを流し込んだり、レンガを組み合わせたりする方式に比べ、確かに簡単で便利な上、施工時間も短縮できる。しかしながら、使用者のニーズに合わせたカスタマイズ化が困難であり、浴室の大きさに釣り合った設計ができないという問題が生じる。さらに、前記ガラス繊維の材質は保温性が高くないため、浴槽内の湯が冷めやすく、使用の際に湯の追い足しや追い炊きのために、水、ガス、電気等が無駄に使用されることになる。
【先行技術文献】
【特許文献】
【０００３】
【特許文献１】（特になし）
【考案の概要】
【考案が解決しようとする課題】
【０００４】
したがって本考案は、従来の浴槽の欠点を克服して、多様なニーズに合わせて簡単に設置ができ、湯が冷めにくい浴槽を提供することを課題とする。
【課題を解決するための手段】
【０００５】
上記課題を解決するために、本考案は、従来の浴槽の欠点を克服して、製作、施工がしやすく、簡単、便利且つ迅速に設置ができる上、多様性を有し、変化に富むと同時に、浴槽内の湯が冷めにくく、保温効果に優れ、水、電気、ガス等の節約も可能な浴槽を提供することを目的とする。
【０００６】
上記目的を達成するために、本考案の浴槽は、周囲と底部には、密に適度な厚みの高密度強化発砲スチロールを有し、前記発泡スチロールの周囲表面は保護層で覆われている。これにより、発泡スチロールの保温、保冷特性によって、前記浴槽内に収納された湯の温度（熱）が上方のみに発散され、四方や底部に向かって熱が発散することがないため、確実に所定の保温効果及び水、電気、ガスの節約が可能である。さらに、前記発泡スチロールは、軽量で運びやすく、切断しやすいという特性を有し、浴槽の製作、施工が簡単、便利且つ迅速に行なえると同時に、多様性を有し、変化に富むという特徴を有する。
【考案の効果】
【０００７】
本考案の浴槽は、製作、施工がしやすく、簡単、便利且つ迅速に設置ができる上、多様性を有し、変化に富むと同時に、浴槽内の湯が冷めにくく、保温効果に優れ、水、電気、ガス等の節約が可能である。
【図面の簡単な説明】
【０００８】
【図１】本考案の実施形態における立体図（斜視図）である。
【図２】図１の断面図である。
【考案を実施するための形態】
【０００９】
本考案の浴槽の特長を詳しく説明するために、以下に図を参照しながら説明する。
【００１０】
図１、図２を参照しながら説明する。本考案の浴槽は、浴槽10の周囲（４つの側壁部）及び底部（底壁部）に、それぞれ適度な厚みで、相互に密接に接続する高密度強化発泡スチロール101の壁部を有する。発泡スチロール101の周囲表面はさらに保護層102で覆われる。このうち、各発泡スチロール101は、相互に密接に接続する箇所に接着剤及び漏れ防止剤（例えば、シリコン樹脂(Silicone)）が塗布され、少なくとも1個以上のねじAで締められ、相互に確実に密に接続されて、その牢固性及び緊密度が強化される。前記保護層102は、タイルまたはモザイクタイルまたはその他の表面貼付物(例えば、合成プラスチック片、ガラス繊維片)であり、前記保護層102は、接着剤B（例えば、EVA樹脂、タイル専用接着剤）によって、密に発泡スチロール101の周囲表面にしっかりと貼り付けられることで、発泡スチロール101表面を保護する効果を有する。各発泡スチロール101の周囲表面には少なくとも一本以上のくぼみ槽Cを有することで、接着剤層Bの粘着度を高める効果を提供して、保護層102が確実に固定設置される際の強度と安定性を高める。底部の発泡スチロール101は、排水孔1011が設置されて、床の排水パイプDに接続される。その周囲表面には、少なくとも一個以上の貫通孔1012が設置されて、コンクリート柱Eを流し込んで床Fに接続して、浴槽10全体の設置を強固にして、その安定性を高める。発泡スチロール101は相互に密接に浴槽10を形成した後、それらの角には角ガード103が接着されて固定されることで角の強度を高める。前記角ガード103は、プラスチックや金属の長方形で、前記角ガード103は、さらに保護層102を完全に覆って隠す。また、前記発泡スチロール101は相互に密接に浴槽10を形成した後、それらの周囲表面は金属ネット104で囲まれることで、接着剤によって発泡スチロール101がしっかりと固定されて一体となり、浴槽10全体の強度を高める効果を有しており、前記金属ネット104は、さらに保護層102を完全に覆って遮蔽する。
【００１１】
このように、本考案の浴槽は、前記発泡スチロール101が軽くて、運搬が容易で、切断がしやすいという特性を有することで、浴室の大きさに合わせて必要な厚さ、造形に応じて、手間をかけることなく、発泡スチロール101を造形や大きさによって直接組み合わせて浴槽10に対応させることが可能である。前記高密度強化発泡スチロール101は、漏れを防ぎ、優れた強度を有する特性を有すると同時に、浴槽10を密接に組み合わせて、コンクリート柱Eを介して床Fに接続させることが可能である。さらに、周囲表面は保護層102に覆われて防護作用を有する。したがって、本考案により形成される浴槽10は、水漏れを防ぐ効果を有するのみならず、優れた強度を有して、完全に浴槽が必要とする使用効果及び目的を達成する。さらに、前記発泡スチロール101は、保温及び保冷効果を達成する特性を有するため、相互に密接に浴槽10の周囲及び底部において、浴槽10内の湯の温度（熱）が四方及び底部に発散されて流失するのを防止し、浴槽10内の湯の温度（熱）は上方の開口部のみで発散されるため、湯が冷めにくいことは明らかである。入浴の際、湯の追い足しをする必要がなく、水や電気、ガスの節約が可能である。したがって前述のように、本考案は、浴室の大きさまたは好みに合わせて、各種デザイン、大きさの浴槽を短時間で製作することが可能であるため、ニーズに合わせた製作が簡単、便利、迅速であると同時に、経済性に優れるほか、特に、前記浴槽はカスタマイズがしやすく、浴槽の製作及び使用の面で、多様性を有し、変化に富むという特徴を有する。
【００１２】
つまり、本考案は少なくとも以下の長所を有する。
【００１３】
（１）製作が簡易、便利、短時間であり、経済性に優れる。
【００１４】
（２）浴槽内の湯の温度が冷めにくく、保温及び省エネ効果を有する。
【００１５】
（３）浴槽の製作及び使用の面で、多様性を有し、変化に富む。
【符号の説明】
【００１６】
10  浴槽
101  発泡スチロール（製）の壁部
1011  排水孔
1012  貫通孔
102  保護層
103  角ガード
104  金属ネット
A    ねじ
B    接着剤層 
C    くぼみ槽
D    排水パイプ
E    コンクリート柱
F    床
【図１】
0003192338.tif 000003
【図２】
0003192338.tif 000004